(57)【特許請求の範囲】
【請求項１】
全館温調システム（ＡＣＳ）であって、
現在の日時を計測する計測部（３１）と、
夏期と冬期との間の期間である中間期の開始日時及び終了日時を、それぞれ設定値（ｔ１０，ｔ２０，ｔ３０，ｔ４０）として記憶する記憶部（３２）と、
複数の部屋の温度調節を一括して行う運転である温調運転、の状態を制御する制御部（３４）と、を備え、
前記制御部は、
現在の日時が前記開始日時（ｔ１０，ｔ３０）となった以降において前記温調運転を停止させ、
現在の日時が前記終了日時（ｔ２０，ｔ４０）となった以降において前記温調運転を再開させ、
前記制御部が前記温調運転を再開させる時刻は、日中の時刻として設定されている全館温調システム。
【請求項２】
前記温調運転の停止又は再開を先送りするか否かについての使用者の意思を、使用者が行う操作に基づいて予め確認する確認部（３３，６０）を有しており、
前記制御部は、
前記温調運転の停止又は再開を先送りしないという使用者の意思が前記確認部によって確認された場合にのみ、前記温調運転を停止又は再開させる、請求項１に記載の全館温調システム。
【請求項３】
前記温調運転の停止又は再開を先送りするという使用者の意思が、前記確認部によって確認された場合には、
前記制御部は、前記開始日時又は前記終了日時を所定期間延期する、請求項２に記載の全館温調システム。
【請求項４】
前記温調運転の停止又は再開を先送りするという使用者の意思が、前記確認部によって確認された場合には、
前記確認部は、
前記温調運転の停止又は再開を先送りするか否かについての使用者の意思を、前記所定期間が経過した際又はそれよりも前の時点において再度確認する、請求項３に記載の全館温調システム。
【請求項５】
使用者が携帯する携帯機器との通信を行う通信部（５０）を更に備えており、
前記確認部は、
前記温調運転の停止又は再開を先送りするか否かについての使用者の意思を、前記携帯機器との通信により確認する、請求項２乃至４のいずれか１項に記載の全館温調システム。
【請求項６】
前記部屋に設けられた窓（８１）又はドア（９１）の開閉状態を検知する開閉検知部（８４，９３）と、
使用者への報知を行う報知部（３３，６０）と、を更に備えており、
前記窓又はドアが開かれていることが前記開閉検知部により検知された場合には、
前記制御部は、
前記温調運転を再開させる前に、前記報知部による使用者への報知を行う、請求項１に記載の全館温調システム。
【請求項７】
前記部屋に設けられた窓又はドアの開閉状態を検知する開閉検知部を更に備え、
前記窓又はドアには、前記窓又はドアを自動的に開閉させる開閉機構（８３，９４）が設けられており、
前記窓又はドアが開かれていることが前記開閉検知部により検知された場合には、
前記制御部は、
前記温調運転を再開させる際に、前記開閉機構を動作させることにより前記窓又はドアを閉じる、請求項１に記載の全館温調システム。
【請求項８】
全館温調システム（ＡＣＳ）であって、
現在の日時を計測する計測部（３１）と、
夏期と冬期との間の期間である中間期の開始日時及び終了日時を、それぞれ設定値（ｔ１０，ｔ２０，ｔ３０，ｔ４０）として記憶する記憶部（３２）と、
複数の部屋の温度調節を一括して行う運転である温調運転、の状態を制御する制御部（３４）と、を備え、
前記制御部は、
現在の日時が前記開始日時（ｔ１０，ｔ３０）となった以降において前記温調運転を停止させ、
現在の日時が前記終了日時（ｔ２０，ｔ４０）となった以降において前記温調運転を再開させ、
全館温調システムとは別に設けられた温調機器（１００）、の動作状態を検知する動作検知部（１１０）、を更に備え、
前記温調運転を再開させるタイミングにおいて、前記温調機器が動作していることが前記動作検知部により検知された場合には、
前記制御部は、
前記温調運転を再開させず、前記終了日時を所定期間延期する全館温調システム。
【請求項９】
前記温調運転の再開を行うか否かについての使用者の意思を、使用者が行う操作に基づいて予め確認する確認部（３３，６０）を有しており、
前記温調運転の再開を行うという使用者の意思が前記確認部によって確認された場合には、
前記制御部は、
前記温調機器が動作していても、前記終了日時を所定期間延期することなく全館温調システムの前記温調運転を再開させる、請求項８に記載の全館温調システム。
【請求項１０】
全館温調システム（ＡＣＳ）であって、
現在の日時を計測する計測部（３１）と、
夏期と冬期との間の期間である中間期の開始日時及び終了日時を、それぞれ設定値（ｔ１０，ｔ２０，ｔ３０，ｔ４０）として記憶する記憶部（３２）と、
複数の部屋の温度調節を一括して行う運転である温調運転、の状態を制御する制御部（３４）と、を備え、
前記制御部は、
現在の日時が前記開始日時（ｔ１０，ｔ３０）となった以降において前記温調運転を停止させ、
現在の日時が前記終了日時（ｔ２０，ｔ４０）となった以降において前記温調運転を再開させ、
前記部屋に設けられた雨戸（８２）の開閉状態を検知する雨戸検知部（８４）、を更に備え、
前記温調運転が行われているときに、前記雨戸が閉じられたことが前記雨戸検知部により検知された場合には、
前記制御部は前記温調運転を停止させる全館温調システム。
【請求項１１】
全館温調システム（ＡＣＳ）であって、
現在の日時を計測する計測部（３１）と、
夏期と冬期との間の期間である中間期の開始日時及び終了日時を、それぞれ設定値（ｔ１０，ｔ２０，ｔ３０，ｔ４０）として記憶する記憶部（３２）と、
複数の部屋の温度調節を一括して行う運転である温調運転、の状態を制御する制御部（３４）と、を備え、
前記制御部は、
現在の日時が前記開始日時（ｔ１０，ｔ３０）となった以降において前記温調運転を停止させ、
現在の日時が前記終了日時（ｔ２０，ｔ４０）となった以降において前記温調運転を再開させ、
全館温調システムとは別に設けられた温調機器、の動作状態を検知する動作検知部、を更に備え、
前記制御部は、
前記温調運転が行われているときに、前記温調機器が動作していることが前記動作検知部により検知された場合には、前記温調運転を停止させる全館温調システム。
【請求項１２】
前記温調運転を継続させるか否かについての使用者の意思を、使用者が行う操作に基づいて予め確認する確認部（３３，６０）を有しており、
前記制御部は、
前記温調運転を継続させるという使用者の意思が前記確認部によって確認されたときには、前記温調運転を停止させずに継続させる、請求項１０又は１１に記載の全館温調システム。
【発明の詳細な説明】
【技術分野】
【０００１】
本発明は、複数の部屋の温度調節を一括して行う全館温調システムに関する。
【背景技術】
【０００２】
建物において、複数の部屋の温度調節を一括して行う全館温調システムが知られている。このような全館温調システムとしては、例えば複数の部屋の空調を一括して行うものや、床暖房による温度調節を一括して行うものがある。
【０００３】
例えば、下記特許文献１に記載されている全館空調システムは、建物の各部屋用に個別の空調装置（例えば熱交換器等）が設けられるのではなく、単一の空調装置により空調された空気が建物の各部屋に分配される構成となっている。
【０００４】
尚、ここでいう「全館温調システム」は、建物における全ての部屋の温度調節を行うものである必要はない。複数の部屋の温度調節を一括して行うものであればよく、全館温調システムによる温度調節が行われない部屋が建物の一部に存在するような場合であっても、ここでいう全館温調システムに含まれる。
【０００５】
全館温調システムは、建物の略全体における温度調節を一括して行うものである。従って、基本的には使用者が行う操作によることなく、自動的に運転を行うように構成されることが多い。特に、空調による温度調節を行う全館温調調システムの場合には、２４時間３６５日に亘って自動的に運転を行うように構成されることが多い。
【先行技術文献】
【特許文献】
【０００６】
【特許文献１】特開２００２−２５７３９９号公報
【発明の概要】
【発明が解決しようとする課題】
【０００７】
夏期と冬期との間の期間である中間期（つまり春期及び秋期）には、気温や湿度が比較的快適なものとなる。このような中間期においても、全館温調システムによって常に温度調節のための運転が行われると、不要な電気エネルギーが消費されてしまうことになる。尚、「温度調節のための運転」とは、具体的には冷房運転や暖房運転である。以下、これらを総じて「温調運転」とも称する。
【０００８】
また、中間期になると、使用者が手動により全館温調システムの温調運転を停止させてしまうことが考えられる。この場合、不要な電気エネルギーの消費は抑制される。しかしながら、中間期が終わる頃における温調運転の再開が、使用者が気温や湿度を不快と感じたことをきっかけに手動で行われることになる。このため、短期間ではあるが使用者に不快な思いをさせてしまう。
【０００９】
例えば全館床暖房を行うように構成された全館温調システムの場合には、秋期が終わる頃に、使用者が手動により全館温調システムの温調運転を再開させる。この場合にも、温調運転の再開は、使用者が気温を不快と感じたことをきっかけに手動で行われることになる。このため、やはり使用者に不快な思いをさせてしまう。
【００１０】
本発明はこのような課題に鑑みてなされたものであり、その目的は、中間期における無駄なエネルギー消費を抑制しながら、使用者に不快な思いをさせることのない全館温調システムを提供することにある。
【課題を解決するための手段】
【００１１】
上記課題を解決するために、本発明に係る全館空調システムは、現在の日時を計測する計測部（３１）と、夏期と冬期との間の期間である中間期の開始日時及び終了日時を、それぞれ設定値（ｔ１０，ｔ２０，ｔ３０，ｔ４０）として記憶する記憶部（３２）と、複数の部屋の温度調節を一括して行う運転である温調運転、の状態を制御する制御部（３４）と、を備え、制御部は、現在の日時が開始日時（ｔ１０，ｔ３０）となった以降において温調運転を停止させ、現在の日時が終了日時（ｔ２０，ｔ４０）となった以降において温調運転を再開させる。制御部が温調運転を再開させる時刻は、日中の時刻として設定されている。
【００１２】
本発明に係る全館温調システムでは、中間期の開始日時として設定された日時となったとき、又はそれよりも後のタイミングにおいて、制御部が自動的に温調運転を停止させる。このため、快適な中間期であるにも拘らず温調運転がなされてしまい、無駄なエネルギーが消費されてしまうようなことが確実に防止される。
【００１３】
中間期の終了日時として設定された日時となったとき、又はそれよりも後の時期において、制御部が自動的に温調運転を再開させる。このため、気温や湿度が使用者にとって不快なものとなるよりも前に、温調運転を確実に再開させることができる。
【００１４】
尚、温調運転を「停止させ」るとは、全館温調システムの全ての構成機器の動作を停止させることに限られるものではない。例えば、空調運転のみが停止され送風運転は継続して行われる状態に移行することも、温調運転を停止させることに含まれる。つまり、温調運転を「停止させ」るとは、温調運転が行われている状態よりも、構成機器の動作レベル（消費電力ともいえる）が小さい状態に移行することを意味する。
【発明の効果】
【００１５】
本発明によれば、中間期における無駄なエネルギー消費を抑制しながら、使用者に不快な思いをさせることのない全館温調システムを提供することができる。
【図面の簡単な説明】
【００１６】
【図１】本発明の実施形態に係る全館温調システムが設置された建物全体の構成を示す図である。
【図２】図１の建物に設けられた、窓の構成を示す図である。
【図３】全館温調システムの一年間における運転スケジュールを示す図である。
【図４】全館温調システムの制御部によって実行される処理を示すフローチャートである。
【図５】全館温調システムの制御部によって実行される処理を示すフローチャートである。
【図６】温調運転を再開させる際において、制御部によって実行される処理を示すフローチャートである。
【図７】図６に示されるフローチャートの変形例である。
【図８】温調運転が行われているときにおいて、制御部によって実行される処理を示すフローチャートである。
【図９】図１の建物に設けられた、ドアの構成を示す図である。
【図１０】全館温調システムの一年間における運転スケジュールを示す図である。
【発明を実施するための形態】
【００１７】
以下、添付図面を参照しながら本発明の実施形態について説明する。説明の理解を容易にするため、各図面において同一の構成要素に対しては可能な限り同一の符号を付して、重複する説明は省略する。
【００１８】
本発明の実施形態に係る全館温調システムＡＣＳは、複数の部屋の温度調節（つまり暖房又は冷房）を一括して自動的に行うものである。全館温調システムＡＣＳは、それぞれの部屋の空調を行うことにより、上記の温度調節を行うシステムとして構成されている。図１では、４つの部屋Ｒ１、Ｒ２、Ｒ３、Ｒ４を有する建物ＨＳに、全館温調システムＡＣＳが設置された状態の例が模式的に示されている。
【００１９】
以下の説明においては、全館温調システムＡＣＳが各部屋（Ｒ１等）の温度調節を一括して行う運転、具体的には暖房運転及び冷房運転、を示す語として、「温調運転」の語を用いる。本実施形態のように空調によって温度調節が行われる構成においては、「温調運転」は「空調運転」と同義である。
【００２０】
建物ＨＳは、居住者（全館温調システムＡＣＳの使用者ともいえる）が生活するための空間である部屋Ｒ１、Ｒ２、Ｒ３、Ｒ４と、天井裏の空間である部屋Ｒ０と、を有している。後に説明するように、全館温調システムＡＣＳは、その構成機器の大部分が部屋Ｒ０に設置されている。全館温調システムＡＣＳは、４つの部屋Ｒ１、Ｒ２、Ｒ３、Ｒ４の空調を一括して自動的に行うものとして構成されている。全館温調システムＡＣＳは、室内ユニット１０と、室外ユニット２０と、制御装置３０と、ルーター４０と、ゲートウェイ５０と、を備えている。
【００２１】
室内ユニット１０は、送風機や熱交換器、エアフィルタ等（いずれも不図示）を備えたユニットであり、部屋Ｒ０に設置されている。室内ユニット１０は、熱交換器を通過した際に冷媒との熱交換によって加熱又は冷却された空気を、送風機によって各部屋（Ｒ１等）に送り込むためのものである。尚、本実施形態においては、送風機だけを動作させることにより、建物ＨＳの外部からの空気を加熱又は冷却することなく、そのまま各部屋に送るような運転、すなわち送風運転を行うことも可能となっている。
【００２２】
室内ユニット１０と部屋Ｒ１との間はダクト１１で繋がっており、室内ユニット１０と部屋Ｒ２との間はダクト１２で繋がっている。同様に、室内ユニット１０と部屋Ｒ３との間はダクト１３で繋がっており、室内ユニット１０と部屋Ｒ４との間はダクト１４で繋がっている。室内ユニット１０において加熱又は冷却された空気、又は送風されるだけの空気は、これらのダクト１１、１２、１３、１４をそれぞれ通って、部屋Ｒ１、Ｒ２、Ｒ３、Ｒ４に供給される。
【００２３】
室内ユニット１０には、導入ダクト１５と、排出ダクト１６とが接続されている。導入ダクト１５は、建物ＨＳの外側から空気（外気）を引き込み、当該空気を室内ユニット１０に供給するためのものである。導入ダクト１５を通って室内ユニット１０に供給された空気が、熱交換器により加熱されるなどした後に各部屋（Ｒ１等）に送り込まれる。
【００２４】
排出ダクト１６は、各部屋（Ｒ１等）から室内ユニット１０に戻ってきた空気を、建物ＨＳの外側に排出するためのものである。暖房運転、冷房運転、送風運転のいずれかが行われることにより、室内ユニット１０から部屋Ｒ１等に空気が送り込まれると、部屋Ｒ１等から押し出された空気が部屋Ｒ１等の外側（且つ建物ＨＳの内側）の空間を通り、室内ユニット１０に戻ってくるように構成されている。それぞれの部屋（Ｒ１等）から戻ってきた空気は、全て排出ダクト１６を通って建物ＨＳの外側に排出される。つまり、本実施形態では、部屋Ｒ１等の外側且つ建物ＨＳの内側の空間が、所謂リターンダクトとして機能するような構成となっている。
【００２５】
室外ユニット２０は、圧縮機、熱交換器、送風ファン等（いずれも不図示）を備えたユニットであり、建物ＨＳの外側に配置されている。室外ユニット２０と室内ユニット１０との間には冷媒配管２１が配置されている。冷媒配管２１は、往路と復路からなる二つの流路（不図示）を形成する一対の配管である。冷媒配管２１を冷媒が通ることにより、室外ユニット２０と室内ユニット１０の間を冷媒が循環するように構成されている。室外ユニット２０は、室内ユニット１０から排出された冷媒を外気と熱交換させたのち、当該冷媒を室内ユニット１０に戻すためのものである。
【００２６】
暖房運転時には、室外ユニット２０の熱交換器において外気の熱が集められ、これにより冷媒が加熱される。加熱された冷媒は、圧縮機によって圧縮されその温度を上昇させながら、室内ユニット１０の熱交換器に移動して、各部屋に送られる空気を加熱する。
【００２７】
冷房運転時には、室外ユニット２０の熱交換器において冷媒から外気に熱が放出され、これにより冷媒が冷却される。冷却された冷媒は、膨張してその温度を低下させながら、室内ユニット１０の熱交換器に移動して、各部屋に送られる空気を冷却する。
【００２８】
制御装置３０は、ＣＰＵ、ＲＯＭ、ＲＡＭ、及び入出力インターフェースを備えたコンピュータシステムであり、全館温調システムＡＣＳ全体の動作を制御するものである。制御装置３０は、室内ユニット１０及び室外ユニット２０とそれぞれ通信を行い、これらによって行われる温調運転の状態を制御する。
【００２９】
具体的には、制御装置３０は、全館温調システムＡＣＳによる運転の種類を選択する。つまり、暖房運転、冷房運転、送風運転のいずれを行うかが制御装置３０によって選択される。また、制御装置３０は、室外ユニット２０から各部屋（Ｒ１等）に送り込まれる空気の温度を設定温度に一致させるような制御も行う。
【００３０】
制御装置３０は、機能的な制御ブロックとして、計測部３１と、記憶部３２と、確認部３３と、制御部３４と、を有している。計測部３１は、所謂タイマーとして機能する部分であって、現在の日時を常に計測している。計測された日時は、後述の制御部３４に伝達される。記憶部３２は、後に説明するスケジュール運転を行うための設定値を複数記憶する部分である。記憶部３２に記憶された設定値は制御部３４に伝達される。当該設定値については後に詳しく説明する。
【００３１】
確認部３３は、全館温調システムＡＣＳの状態を居住者に報知するための処理や、居住者が行った操作を受け付ける処理を行うための部分である。このような報知及び居住者による操作は、後述のパソコン６０等を介して行われる。
【００３２】
制御部３４は、制御装置３０が行う制御動作を担う部分である。制御部３４は、計測部３１によって計測された現在の日時、及び、記憶部３２に記憶された複数の設定値に基づいて演算を行い、これに基づいて全館温調システムＡＣＳ全体の動作を制御する。
【００３３】
ルーター４０は、制御装置３０と他の機器との通信を中継するための機器である。ルーター４０は、部屋Ｒ１に設置されたパソコン６０と通信線６１（例えばＬＡＮケーブル）を介して接続されており、パソコン６０と制御装置３０との間の通信を中継する。ルーター４０とパソコン６０とは、無線ＬＡＮで接続されていてもよい。
【００３４】
パソコン６０は、建物ＨＳの居住者が全館温調システムＡＣＳに対する操作を行う際のインターフェースとなるものである。また、全館温調システムＡＣＳの状態を居住者に報知する際のインターフェースともなるものでもある。尚、図１にはパソコン６０が部屋Ｒ１に設置された例が示されているが、パソコン６０は他の部屋に設置されていてもよい。また、複数のパソコン６０がそれぞれの部屋（Ｒ１等）に設置されていてもよい。
【００３５】
ゲートウェイ５０は、建物ＨＳの外部のネットーワークに、全館温調システムＡＣＳを接続するための機器である。本実施形態では、外部のサービスサーバー７０と制御装置３０とが、ゲートウェイ５０及びルーター４０を介して接続されている。サービスサーバー７０は、居住者が建物ＨＳの外側にいる場合（つまり外出時）において、居住者が携帯する携帯電話やタブレット端末（以下、これらを総じて「携帯機器」ともいう）と制御装置３０との通信を媒介するサービスを行うためのサーバーである。例えば、制御装置３０から、居住者の携帯機器に向けてメールを送信するサービスや、居住者が携帯機器に対して行った操作の内容を制御装置３０に伝達するようなサービスが、サービスサーバー７０によって行われる。
【００３６】
建物ＨＳの部屋Ｒ４には、床暖房装置１００が設けられている。床暖房装置１００は、部屋Ｒ４の温度調節を行うための温調機器である。ただし、床暖房装置１００は全館温調システムＡＣＳの一部ではなく、全館温調システムＡＣＳとは別の温調機器として部屋Ｒ４に設置されている。
【００３７】
床暖房装置１００の近傍には、床暖房装置１００の動作状態を検知する動作検知センサ１１０が設けられている。動作検知センサ１１０は、床暖房装置１００の動作状態を示す信号を制御装置３０に送信する。当該信号により、制御装置３０は、床暖房装置１００によって部屋Ｒ４の温度調節が行われているか否かを常に判定することができる。
【００３８】
尚、床暖房装置１００は、部屋Ｒ４以外の他の部屋に設けられていてもよく、建物ＨＳにおける複数の部屋に設けられていてもよい。また、全館温調システムＡＣＳとは別の温調機器として、床暖房装置とは異なる種類の温調機器が設けられていてもよい。いずれの場合であっても、それぞれの温調機器の動作状態は個別に設けられた動作検知センサによって検知され、制御装置３０に送信される。
【００３９】
図２を参照しながら、建物ＨＳに設けられた窓８１の構成について説明する。窓８１は、ガラス戸をスライドさせることによって開閉する構成の、所謂「引違い窓」である。窓８１はそれぞれの部屋（Ｒ１等）に設けられているのであるが、一部の部屋のみに設けられている構成でもよい。窓８１が開放されると、部屋の内部空間が外気に通じた状態となる。
【００４０】
窓８１には雨戸８２が設けられている。雨戸８２は、窓８１を屋外側から覆うことにより、屋内への風雨の侵入を防ぐものである。通常時には、図２に点線で示されるように雨戸８２は解放されている。建物ＨＳの居住者が長期間に亘り外出するような際には、雨戸８２がスライドされ閉じられることにより、窓８１が雨戸８２により覆われた状態となる。
【００４１】
窓８１の上方側部分における窓枠には、開閉機構８３が設けられている。開閉機構８３は、不図示の電磁モーターの駆動力によって、窓８１を自動的に開閉させる装置である。開閉機構８３の動作は、制御装置３０によって制御される。このため、制御装置３０は、開閉機構８３に制御信号を送信することで、窓８１を開いたり閉じたりすることができる。
【００４２】
また、窓８１には開閉検知センサ８４が設けられている。開閉検知センサ８４は、窓８１の開閉状態を検知するためのセンサである。開閉検知センサ８４による検知結果を示す信号は、制御装置３０に向けて送信される。このため、制御装置３０は、現時点において窓８１が開かれた状態となっているのか、それとも閉じられた状態となっているのかを、開閉検知センサ８４からの信号によって判定することができる。
【００４３】
開閉検知センサ８４は、窓８１の開閉状態のみならず、雨戸８２の開閉状態をも検知することができる。制御装置３０は、現時点において雨戸８２が開かれた状態となっているのか、それとも閉じられた状態となっているのかについても、開閉検知センサ８４からの信号によって判定することができる。
【００４４】
尚、窓８１の開閉状態と、雨戸８２の開閉状態とは、本実施形態のように共通の開閉検知センサ８４によって検知されてもよいのであるが、個別のセンサによって検知されてもよい。つまり、雨戸８２の開閉状態を検知するためのセンサが、開閉検知センサ８４とは別に設けられていてもよい。
【００４５】
続いて、本実施形態に係る全館温調システムＡＣＳのスケジュール運転について、図３を主に参照しながら説明する。本実施形態では、制御装置３０が行う制御により、２４時間３６５日に亘って全館温調システムＡＣＳの運転が計画的に行われる。
【００４６】
具体的には、比較的過ごしやすい時期である春期及び秋期（以下、これらを総じて「中間期」とも称する）になると、全館温調システムＡＣＳの温調運転を自動的に停止するような制御がなされる。また、春期又は秋期が終了すると、温調運転（冷房運転又は暖房運転）が自動的に再開されるような制御がなされる。
【００４７】
制御装置３０の記憶部３２には、春期が始まり温調運転を停止させるための設定日時ｔ１０として、「４月１日午前０時」が設定されている。また、春期が終わり温調運転を再開させるための設定日時ｔ２０として、「６月１日午前９時」が設定されている。同様に、秋期が始まり温調運転を停止させるための設定日時ｔ３０として、「１０月１日午前０時」が設定されている。また、秋期が終わり温調運転を再開させるための設定日時ｔ４０として、「１２月１日午前９時」が設定されている。図３における設定日時ｔ０は、前年度の秋期が終わり温調運転を再開させるための設定日時であるから、設定日時ｔ４０と同一の日時である。このように、記憶部３２には、中間期の開始日時及び終了日時が、設定値として全部で４つ記憶されている。尚、これらの設定値は必ずしも日時として記憶されている必要はない。例えば、「４月１日」のように日付だけが記憶されており、時刻までは記憶されていないような態様であってもよい。
【００４８】
計測部３１によって計測されている現在日時が設定日時ｔ１０（４月１日午前０時）になると、制御部３４は、全館温調システムＡＣＳの温調運転（この場合は暖房運転）を停止させる。このとき、送風運転のみが継続されていてもよい。春となって気温が上昇し、過ごしやすくなったタイミングにおいて自動的に暖房運転が停止されるので、居住者にとって快適な状態が維持される。以降、計測部３１によって計測されている現在日時が設定日時ｔ２０になるまでの間、温調運転が停止している状態が維持される。
【００４９】
計測部３１によって計測されている現在日時が設定日時ｔ２０（６月１日午前９時）になると、制御部３４は、全館温調システムＡＣＳの温調運転（この場合は冷房運転）を再開させる。夏となって気温が更に上昇し、居住者が不快を感じるよりも前のタイミングにおいて自動的に冷房運転が開始されるので、居住者にとって快適な状態が維持される。以降、計測部３１によって計測されている現在日時が設定日時ｔ３０になるまでの間、冷房運転を行っている状態が維持される。
【００５０】
計測部３１によって計測されている現在日時が設定日時ｔ３０（１０月１日午前０時）になると、制御部３４は、全館温調システムＡＣＳの温調運転（この場合は冷房運転）を停止させる。このとき、送風運転のみが継続されていてもよい。秋となって気温が低下し、過ごしやすくなったタイミングにおいて自動的に冷房運転が停止されるので、居住者にとって快適な状態が維持される。以降、計測部３１によって計測されている現在日時が設定日時ｔ４０になるまでの間、温調運転が停止している状態が維持される。
【００５１】
計測部３１によって計測されている現在日時が設定日時ｔ４０（１２月１日午前９時）になると、制御部３４は、全館温調システムＡＣＳの温調運転（この場合は暖房運転）を再開させる。冬となって気温が更に低下し、居住者が不快を感じるよりも前のタイミングにおいて自動的に暖房運転が開始されるので、居住者にとって快適な状態が維持される。以降、計測部３１によって計測されている現在日時が設定日時ｔ１０になるまでの間、暖房運転を行っている状態が維持される。
【００５２】
このように、本実施形態に係る全館温調システムＡＣＳでは、現在の日時が中間期の開始日時として設定された日時（ｔ１０、ｔ３０）になると、制御部３４が自動的に温調運転を停止させるような制御を行う。このため、快適な中間期であるにも拘らず温調運転がなされてしまい、無駄なエネルギーが消費されてしまうようなことが確実に防止される。
【００５３】
また、現在の日時が中間期の終了始日として設定された日時（ｔ２０、ｔ４０）になると、制御部３４が自動的に温調運転を再開させるような制御を行う。このため、気温や湿度が居住者にとって不快なものとなるよりも前に、温調運転を確実に再開させることができる。
【００５４】
記憶部３２に記憶されている設定値が日付だけであり、設定値には時刻が含まれていないような態様であってもよい。この場合、現在の日付が設定日時ｔ１０（４月１日）になると、制御部３４は直ちに全館温調システムＡＣＳの温調運転（この場合は暖房運転）を停止させる。同様に、現在の日付が設定日時ｔ３０（１０月１日）になると、制御部３４は直ちに全館温調システムＡＣＳの温調運転（この場合は冷房運転）を停止させる。
【００５５】
一方、現在の日付が設定日時ｔ２０（６月１日）になると、制御部３４は直ちに全館温調システムＡＣＳの温調運転（この場合は冷房運転）を再開させるのではなく、その日の午前９時に温調運転を再開させるように設定されていればよい。同様に、現在の日付が設定日時ｔ４０（１２月１日）になると、制御部３４は直ちに全館温調システムＡＣＳの温調運転（この場合は暖房運転）を再開させるのではなく、その日の午前９時に温調運転を再開させるように設定されていればよい。
【００５６】
つまり、中間期の開始日時に温調運転を停止させる制御は、設定日時（ｔ１０、ｔ３０）の午前０時に行うように予め設定されており、中間期の終了日時に温調運転を再開させる制御は設定日時（ｔ２０、ｔ４０）の午前９時に行うように予め設定されていてもよい。このように設定されているのであれば、記憶部３２に記憶されている設定値が日付だけであっても、本実施形態と同様の制御が実行されることとなる。
【００５７】
全館温調システムＡＣＳの温調運転が停止している状態から、温調運転を再開する際においては、室外ユニット２０が有する圧縮機や送風ファンの起動に伴って、比較的大きな始動音が周囲に向けて発せられてしまう。このため、仮に温調運転の再開が深夜の時間帯に行われてしまうと、居住者のみならず近隣の住民にも迷惑がかかってしまう。
【００５８】
しかしながら、本実施形態においては、温調運転の自動的な再開が行われる時刻（ｔ２０、ｔ４０）は午前９時に設定されているので、近隣の住民に迷惑がかかってしまう可能性は低減されている。尚、温調運転の自動的な再開が行われる時刻は必ずしも午前９時である必要はなく、始動音が不快なものとならないような時間帯（つまり日中）における他の時刻（例えば午前１１時）に設定されていてもよい。
【００５９】
ところで、温調運転を停止又は再開させる日時はそれぞれ固定されていてもよいのであるが、地域や年度によっては、固定されたタイミングが適切でない場合もある。つまり、例えば春期となって暖房運転を停止させるべきタイミングは、毎年同じ日時であるとは限らない。気温の上昇が例年よりも遅い年においては、前年よりも遅いタイミングで暖房運転を停止させないと、居住者に不快な思いをさせてしまう可能性がある。また、春期となって暖房運転を停止させるべきタイミングは、同じ年であっても北海道と沖縄とでは当然ながら異なっている。
【００６０】
そこで、本実施形態に係る全館温調システムＡＣＳでは、中間期の開始日時に温調運転を停止させる際、及び中間期の終了日時に温調運転を終了させる際には、居住者の意思を確認し、当該意思が確認できた場合にのみ温調運転の停止等を行うように構成されている。ここのような制御について、図４及び図５を参照しながら説明する。
【００６１】
図４は、温調運転を停止させる際において、制御部３４によって実行される処理の流れを示すフローチャートである。図４に示される処理は、制御部３４によって、一定の周期が経過する毎に繰り返し実行されている。
【００６２】
最初のステップＳ０１では、計測部３１によって計測された現在の日付が、中間期の開始日時として記憶部３２に記憶されている設定値（日付）の前日か否かが判定される。本実施形態では、現在の日付が３月３１日（つまり設定日時ｔ１０の前日）、又は９月３０日（つまり設定日時ｔ３０の前日）であるか否かが判定される。現在の日付が中間期の開始日時の前日でなければ、処理を終了する。現在の日付が中間期の開始日時の前日であった場合には、ステップＳ０２に移行する。
【００６３】
ステップＳ０２では、確認部３３からルーター４０を経由してパソコン６０に信号が伝達され、これによりパソコン６０に確認メッセージが表示される。確認メッセージとは、パソコン６０のディスプレイに表示される文言であって、暖房運転又は冷房運転を自動的に停止することを居住者に対して予告するためのものである。これに加えて、暖房運転又は冷房運転を自動的に停止してもよいかどうかについての居住者の意思を、居住者に確認するための操作部も、パソコン６０のディスプレイに表示される。このような文言及び操作部はダイアログボックスとして表示される。
【００６４】
例えば、上記ダイアログボックスには、居住者に対するメッセージとして「暖房運転状態を延長しますか？」という文言が表示されるとともに、操作部として「ＯＫボタン」の画像と「ＮＧボタン」の画像とが表示される。ＯＫボタンは、暖房運転を延長してほしい場合に居住者が押す（クリックする）ボタンである。ＮＧボタンは、暖房運転を延長してほしくない場合に居住者が押す（クリックする）ボタンである。
【００６５】
ステップＳ０２に続くステップＳ０３では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ０４に移行する。
【００６６】
ステップＳ０４では、ＯＫボタン又はＮＧボタンのどちらが押されたかが判定される。ＮＧボタンが押された場合、すなわち、「中間期における温調運転を延長せず、予定通りに（明日）停止してほしい」という居住者の意思が確認された場合には、ステップＳ０５に移行する。ステップＳ０５において、制御部３４は、温調運転を予定通りに停止する旨を設定フラグ等によって記憶して、図４に示される一連の処理を終了する。その後、現在の日付が設定日時ｔ１０又は設定日時ｔ３０になると、制御部３４は予定通りに全館温調システムＡＣＳの温調運転を停止させる。
【００６７】
ステップＳ０４においてＯＫボタンが押された場合、すなわち、「温調運転の停止は行わず、温調運転を延長してほしい」という居住者の意思が確認された場合には、ステップＳ０６に移行する。ステップＳ０６では、温調運転を停止する日時を７日延長する。例えば、春期の場合には、記憶部３２に記憶されている設定日時ｔ１０の値を「４月１日午前０時」から「４月８日午前０時」に書き換える。秋期の場合には、記憶部３２に記憶されている設定日時ｔ３０の値を「１０月１日午前０時」から「１０月８日午前０時」に書き換える。尚、延長する日数は７日に限られず、他の日数としてもよい。
【００６８】
全館温調システムＡＣＳの温調運転は、翌日になっても自動的に停止されることなく継続される。その後、現在の日時が（書き換えられた）設定日時ｔ１０又は設定日時ｔ３０となる前日において、上記の処理が再度実行されることになる。つまり、ステップＳ０６の処理が行われてから７日後に再度ダイアログボックスの表示が再度行われて、暖房運転又は冷房運転を自動的に停止してもよいかどうかについての居住者の意思確認が行われる。居住者によってＮＧボタンが押されるまで、温調運転は継続して実行される。
【００６９】
尚、温調運転の停止日時が延長された場合において、ダイアログボックスの表示が再度行われるまでの期間は、７日間より短くてもよい。現在の日時が（書き換えられた）設定日時ｔ１０又は設定日時ｔ３０となったとき、又はそれよりも前に、再確認のためのダイアログボックスが表示されればよい。
【００７０】
ステップＳ０３において、居住者による操作部の操作が一定時間内に行われなかった場合には、ダイアログボックスの表示をディスプレイから消去するとともにステップＳ０７に移行する。ステップＳ０７では、温調運転を停止する日時を１日延長する。例えば、春期の場合には、記憶部３２に記憶されている設定日時ｔ１０の値を「４月１日午前０時」から「４月２日午前０時」に書き換える。秋期の場合には、記憶部３２に記憶されている設定日時ｔ３０の値を「１０月１日午前０時」から「１０月２日午前０時」に書き換える。尚、延長する日数は１日に限られず、他の日数としてもよい。
【００７１】
全館温調システムＡＣＳの温調運転は、自動的に停止されることなく継続される。その後、現在の日時が（書き換えられた）設定日時ｔ１０又は設定日時ｔ３０となる前日において、上記の処理が再度実行されることになる。つまり、ステップＳ０７の処理が行われた翌日に再度ダイアログボックスの表示が行われて、暖房運転又は冷房運転を自動的に停止してもよいかどうかについての居住者の意思確認が行われる。
【００７２】
図５は、温調運転を再開させる際において、制御部３４によって実行される処理の流れを示すフローチャートである。図５に示される処理も、制御部３４によって、一定の周期が経過する毎に繰り返し実行されている。
【００７３】
最初のステップＳ１１では、計測部３１によって計測された現在の日付が、中間期の終了日時として記憶部３２に記憶されている設定値（日付）の前日か否かが判定される。本実施形態では、現在の日付が５月３１日（つまり設定日時ｔ２０の前日）、又は１１月３０日（つまり設定日時ｔ４０の前日）であるか否かが判定される。現在の日付が中間期の終了日時の前日でなければ、処理を終了する。現在の日付が中間期の終了日時の前日であった場合には、ステップＳ１２に移行する。
【００７４】
ステップＳ１２では、確認部３３からルーター４０を経由してパソコン６０に信号が伝達され、これによりパソコン６０に確認メッセージが表示される。この場合の確認メッセージは、暖房運転又は冷房運転を自動的に再開することを居住者に対して予告するためのものである。これに加えて、暖房運転又は冷房運転を自動的に再開してもよいかどうかについての居住者の意思を、居住者に確認するための操作部も、パソコン６０のディスプレイに表示される。このような文言及び操作部は、ステップＳ０２の場合と同様にダイアログボックスとして表示される。
【００７５】
例えば、上記ダイアログボックスには、居住者に対するメッセージとして「暖房運転の停止状態を延長しますか？」という文言が表示されるとともに、操作部として「ＯＫボタン」の画像と「ＮＧボタン」の画像とが表示される。ＯＫボタンは、暖房運転が停止している状態を延長してほしい場合に居住者が押す（クリックする）ボタンである。ＮＧボタンは、暖房運転の停止状態を延長してほしくない場合に居住者が押す（クリックする）ボタンである。
【００７６】
ステップＳ１２に続くステップＳ１３では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ１４に移行する。
【００７７】
ステップＳ１４では、ＯＫボタン又はＮＧボタンのどちらが押されたかが判定される。ＮＧボタンが押された場合、すなわち、「温調運転の停止状態を延長せず、予定通りに（明日）温調運転を再開してほしい」という居住者の意思が確認された場合には、ステップＳ１５に移行する。ステップＳ１５において、制御部３４は、温調運転を予定通りに再開する旨を設定フラグ等によって記憶して、図５に示される一連の処理を終了する。その後、現在の日付が設定日時ｔ２０又は設定日時ｔ４０になると、制御部３４は予定通りに全館温調システムＡＣＳの温調運転を再開させる。
【００７８】
ステップＳ１４においてＯＫボタンが押された場合、すなわち、「温調運転の再開は行わず、温調運転の停止状態を延長してほしい」という居住者の意思が確認された場合には、ステップＳ１６に移行する。ステップＳ１６では、温調運転を再開する日時を７日延長する。例えば、夏期の場合には、記憶部３２に記憶されている設定日時ｔ２０の値を「６月１日午前９時」から「６月８日午前９時」に書き換える。秋期の場合には、記憶部３２に記憶されている設定日時ｔ４０の値を「１２月１日午前９時」から「１２月８日午前９時」に書き換える。尚、延長する日数は７日に限られず、他の日数としてもよい。
【００７９】
全館温調システムＡＣＳの温調運転は、翌日になっても自動的に開始（再開）されることなく、停止した状態が維持される。その後、現在の日時が（書き換えられた）設定日時ｔ２０又は設定日時ｔ４０となる前日において、上記の処理が再度実行されることになる。つまり、ステップＳ１６の処理が行われてから７日後に再度ダイアログボックスの表示が再度行われて、暖房運転又は冷房運転を自動的に再開してもよいかどうかについての居住者の意思確認が行われる。居住者によってＮＧボタンが押されるまで、温調運転は再開されない。
【００８０】
尚、温調運転の停止状態が延長された場合において、ダイアログボックスの表示が再度行われるまでの期間は、７日間より短くてもよい。現在の日時が（書き換えられた）設定日時ｔ２０又は設定日時ｔ４０となったとき、又はそれよりも前に、再確認のためのダイアログボックスが表示されればよい。
【００８１】
ステップＳ１３において、居住者による操作部の操作が一定時間内に行われなかった場合には、ダイアログボックスの表示をディスプレイから消去するとともにステップＳ１７に移行する。ステップＳ１７では、温調運転を再開する日時を１日延長する。例えば、夏期の場合には、記憶部３２に記憶されている設定日時ｔ２０の値を「６月１日午前９時」から「６月２日午前９時」に書き換える。冬期の場合には、記憶部３２に記憶されている設定日時ｔ４０の値を「１２月１日午前９時」から「１２月２日午前９時」に書き換える。尚、延長する日数は１日に限られず、他の日数としてもよい。
【００８２】
全館温調システムＡＣＳの温調運転は、自動的に再開されることなく、停止した状態が維持される。その後、現在の日時が（書き換えられた）設定日時ｔ２０又は設定日時ｔ４０となる前日において、上記の処理が再度実行されることになる。つまり、ステップＳ１７の処理が行われた翌日に再度ダイアログボックスの表示が行われて、暖房運転又は冷房運転を自動的に再開してもよいかどうかについての居住者の意思確認が行われる。
【００８３】
このように、本実施形態に係る全館温調システムＡＣＳは、温調運転の停止又は再開を延長（つまり先送り）しないという居住者の意思が確認された場合にのみ、自動的に温調運転を停止又は再開させるように構成されている。また、温調運転の停止又は再開を先送りするという居住者の意思が確認された場合には、温調運転の停止又は再開を行う日（つまり、記憶部３２に記憶されている設定値）を７日間延期する。更に、温調運転の停止又は再開を延期するという居住者の意思が確認された場合には、温調運転の停止又は再開を先送りするか否かについての居住者の意思を、７日間の期間が経過した際において再度確認する。
【００８４】
このような制御が行われるので、温調運転の停止又は再開が、居住者の意思に反して行われてしまうことが無い。換言すれば、温調運転の停止又は再開が自動的に行われることにより、居住者に不快な思いをさせてしまうようなことは確実に防止される。
【００８５】
また、温調運転を自動的に停止する前、及び温調運転を自動的に再開する前には、必ず居住者に向けて確認メッセージによる報知が行われる。このため、居住者の操作忘れ等によって無駄な温調運転がなされてしまうようなことが防止される。
【００８６】
尚、上記においては、温調運転の停止又は再開の予告を居住者に報知するためのインターフェースとして、パソコン６０が用いられる例を説明した。これに替えて、使用者が携帯する携帯機器（例えば携帯電話やタブレット端末）が用いられてもよい。
【００８７】
この場合、制御装置３０の確認部３３は、ルーター４０、ゲートウェイ５０、及びサービスサーバー７０を介して居住者の携帯機器に信号を送信し、当該携帯機器の画面に確認メッセージや操作ボタン（例えばダイアログボックス）を表示させることができる。また、操作ボタンに対してなされた操作に基づく信号を、サービスサーバー７０、ゲートウェイ５０、ルーター４０を介して受信し、図４及び図５に示したものと同様の処理を行うことができる。このような態様であれば、居住者が外出中の場合であっても、温調運転の停止又は再開を適切なタイミングで実行することができる。
【００８８】
例えば、居住者が外出中であった場合において、図４のステップＳ０２に示される処理（温調運転を延長するかどうかの確認メッセージの表示）がなされるタイミングとなることが考えられる。このとき、仮に、居住者に対する報知、及び居住者の操作に基づく意思確認が、居住者の在宅中にのみ可能であるような場合には、居住者が帰宅するまでの間は無駄な温調運転がなされてしまうことになってしまう。
【００８９】
また、居住者が外出中であった場合において、図５のステップＳ１２に示される処理（温調運転の停止状態を延長するかどうかの確認メッセージの表示）がなされるタイミングとなることが考えられる。このとき、仮に、居住者に対する報知、及び居住者の操作に基づく意思確認が、居住者の在宅中にのみ可能であるような場合には、居住者が帰宅するまでの間は温調運転が停止されたままであるから、帰宅後しばらくの間は居住者に不快な思いをさせてしまうことになる。更に、帰宅した居住者が温調運転を手動で開始させると、そのタイミングによっては、始動音によって近隣の住民に迷惑をかけてしまう可能性もある。
【００９０】
しかしながら、本実施形態では上記のように、居住者が外出中の場合であっても携帯機器による報知及び意思確認が可能となっている。居住者が帰宅するよりも前に、適切なタイミングで温調運転の停止又は再開が実行されるので、上記のような問題の発生が防止される。
【００９１】
温調運転を再開させる際に行われる処理について、図６を参照しながら説明する。当該処理は、図５のステップＳ１５における処理が行われた後、現在の日付が設定日時ｔ２０又は設定日時ｔ４０になったときにおいて、制御部３４により実行される処理である。尚、現在の日付が設定日時ｔ２０又は設定日時ｔ４０になったときに、図６に示される一連の処理を行うことなく、制御部３４が全館温調システムＡＣＳの温調運転を無条件に再開させる態様であってもよい。
【００９２】
最初のステップＳ２１では、開閉検知センサ８４からの信号に基づいて、窓８１が閉じているかどうかの判定が行われる。窓８１が開いていると判定された場合には、ステップＳ２２に移行する。
【００９３】
ステップＳ２２では、確認部３３からルーター４０を経由してパソコン６０に信号が伝達され、これによりパソコン６０に確認メッセージが表示される。この場合の確認メッセージは、窓８１が開いていることを居住者に報知するためのものである。これに加えて、温調運転を自動的に再開するかどうかについての居住者の意思を、居住者に確認するための操作部も、パソコン６０のディスプレイに表示される。このような文言及び操作部はダイアログボックスとして表示される。
【００９４】
尚、温調運転を予定通りに再開するという居住者の意思は、図５のステップＳ１３及びステップＳ１４において既に確認されている。しかしながら、窓８１が開かれている状態で温調運転が再開されてしまうと、窓８１が設けられている部屋の温度調節がうまくいかない可能性がある。そこで、ステップＳ２２では、居住者の意思を再度確認するための処理が行われる。
【００９５】
例えば、上記ダイアログボックスには、居住者に対するメッセージとして「窓が開いています。温調運転の停止状態を延長しますか？」という文言が表示されるとともに、操作部として「ＯＫボタン」の画像と「ＮＧボタン」の画像とが表示される。ＯＫボタンは、温調運転が停止している状態を延長してほしい場合に居住者が押す（クリックする）ボタンである。ＮＧボタンは、温調運転の停止状態を延長してほしくない場合、すなわち、温調運転を直ちに再開してほしい場合に居住者が押す（クリックする）ボタンである。
【００９６】
ステップＳ２２に続くステップＳ２３では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ２４に移行する。
【００９７】
ステップＳ２４では、ＯＫボタン又はＮＧボタンのどちらが押されたかが判定される。ＮＧボタンが押された場合、すなわち、「温調運転の停止状態を延長せず、直ちに温調運転を再開してほしい」という居住者の意思が確認された場合には、ステップＳ２５に移行する。
【００９８】
ステップＳ２４においてＯＫボタンが押された場合、すなわち、「温調運転の再開は行わず、温調運転の停止状態を延長してほしい」という居住者の意思が確認された場合には、ステップＳ３０に移行する。ステップＳ３０では、温調運転を再開する日時を１日延長する。例えば、夏期の場合には、記憶部３２に記憶されている設定日時ｔ２０の値を「６月１日午前９時」から「６月２日午前９時」に書き換える。秋期の場合には、記憶部３２に記憶されている設定日時ｔ４０の値を「１２月１日午前９時」から「１２月２日午前９時」に書き換える。尚、延長する日数は１日に限られず、他の日数としてもよい。
【００９９】
ステップＳ２３において、居住者による操作部の操作が一定時間内に行われなかった場合には、ダイアログボックスの表示をディスプレイから消去するとともにステップＳ３０に移行する。つまり、ステップＳ２４においてＯＫボタンが押されていた場合と同じ処理が行われる。これにより、温調運転を再開させるタイミングが１日延期される。
【０１００】
ステップＳ２１において窓８１が閉じていると判定された場合、又は、ステップＳ２４においてＮＧボタンが押されていた場合には、ステップＳ２５に移行する。ステップＳ２５では、動作検知センサ１１０からの信号に基づいて、全館温調システムＡＣＳとは別の温調機器（つまり床暖房装置１００）が停止しているか否かについての判定が行われる。床暖房装置１００が動作しており、これにより部屋Ｒ４の温度調整が既に行われていると判定された場合には、ステップＳ２６に移行する。
【０１０１】
ステップＳ２６では、確認部３３からルーター４０を経由してパソコン６０に信号が伝達され、これによりパソコン６０に確認メッセージが表示される。この場合の確認メッセージは、全館温調システムＡＣＳとは別の温調機器が動作中であることを居住者に報知するためのものである。これに加えて、温調運転を自動的に再開するかどうかについての居住者の意思を、居住者に確認するための操作部も、パソコン６０のディスプレイに表示される。このような文言及び操作部はダイアログボックスとして表示される。
【０１０２】
温調運転を予定通りに再開するという居住者の意思は、図５のステップＳ１３及びステップＳ１４において既に確認されている。しかしながら、床暖房装置１００が動作している状態で、全館温調システムＡＣＳによる温調運転が再開されてしまうと、エネルギーが無駄に消費されてしまうこととなる。そこで、ステップＳ２６では、居住者の意思を再度確認するための処理が行われる。
【０１０３】
例えば、上記ダイアログボックスには、居住者に対するメッセージとして「床暖房装置による暖房が行われています。温調運転の停止状態を延長しますか？」という文言が表示されるとともに、操作部として「ＯＫボタン」の画像と「ＮＧボタン」の画像とが表示される。ＯＫボタンは、温調運転が停止している状態を延長してほしい場合に居住者が押す（クリックする）ボタンである。ＮＧボタンは、温調運転の停止状態を延長してほしくない場合、すなわち、温調運転を直ちに再開してほしい場合に居住者が押す（クリックする）ボタンである。
【０１０４】
ステップＳ２６に続くステップＳ２７では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ２８に移行する。
【０１０５】
ステップＳ２８では、ＯＫボタン又はＮＧボタンのどちらが押されたかが判定される。ＮＧボタンが押された場合、すなわち、「温調運転の停止状態を延長せず、直ちに温調運転を再開してほしい」という居住者の意思が確認された場合には、ステップＳ２９に移行する。ステップＳ２９では、全館温調システムＡＣＳによる温調運転が再開される。
【０１０６】
ステップＳ２８においてＯＫボタンが押された場合、すなわち、「温調運転の再開は行わず、温調運転の停止状態を延長してほしい」という居住者の意思が確認された場合には、ステップＳ３０に移行する。既に述べたように、ステップＳ３０では、温調運転を再開する日時を１日延長する。
【０１０７】
ステップＳ２７において、居住者による操作部の操作が一定時間内に行われなかった場合には、ダイアログボックスの表示をディスプレイから消去するとともにステップＳ３０に移行する。つまり、ステップＳ２８においてＯＫボタンが押されていた場合と同じ処理が行われる。これにより、温調運転を再開させるタイミングが１日延期される。
【０１０８】
ステップＳ２５において、床暖房装置１００が停止していると判定された場合には、ステップＳ２９に移行する。既に述べたように、ステップＳ２９では、全館温調システムＡＣＳによる温調運転が再開される。
【０１０９】
以上のように、本実施形態では、外気に通じる窓８１が開いている場合や、全館温調システムＡＣＳとは別の温調機器が動作中である場合には、設定日時ｔ２０やｔ４０となっても温調運転が再開されない。これにより、窓８１が空いたまま温調運転が行われてしまうことや、不要な温調運転が行われてしまうことが防止される。
【０１１０】
尚、ステップＳ２１において窓８１が開いていた場合には、ステップＳ２２における確認メッセージの表示などが行われることなく、直ちにステップＳ３０の処理が行われる態様であってもよい。同様に、ステップＳ２５において他の温調機器が動作していた場合には、ステップＳ２６における確認メッセージの表示などが行われることなく、直ちにステップＳ３０の処理が行われる態様であってもよい。しかしながら、本実施形態のように、居住者の意思を確認する処理を経た後にステップＳ３０の処理が行われる態様であれば、居住者の意思に沿った処理が確実に行われることとなるので、より好ましい。
【０１１１】
建物ＨＳに設置されている温調機器が床暖房装置１００だけではなく、建物ＨＳに複数の温調機器が設置されていることも考えられる。この場合には、これら複数の温調機器に優先順位を設定しておき、優先順位の高いものが動作している場合にのみ、ステップＳ２６以降の処理が行われることとしてもよい。優先順位は、予め居住者が行う操作によって設定されていることが望ましい。
【０１１２】
図６に示される処理の変形例について、図７を参照しながら説明する。最初のステップＳ２１０では、開閉検知センサ８４からの信号に基づいて、窓８１が閉じているかどうかの判定が行われる。窓８１が開いていると判定された場合には、ステップＳ２１１に移行する。ステップＳ２１１では、制御装置３０が開閉機構８３を制御することにより、窓８１が閉じられる。
【０１１３】
ステップＳ２１０において窓８１が閉じていると判定された場合、又は、ステップＳ２１１の処理が完了した後は、ステップＳ２１２に移行する。ステップＳ２１２では、全館温調システムＡＣＳによる温調運転が再開される。
【０１１４】
このように、上記変形例では、外気に通じる窓８１が開いていることが検知されると、窓８１が自動的に閉じられた後に温調運転が再開される。これにより、窓８１が開いている状態で温調運転が行われてしまうことが防止される。
【０１１５】
全館温調システムＡＣＳによる温調運転が行われているときに、制御部３４により実行される処理について、図８を参照しながら説明する。図８に示される一連の処理は、温調運転が行われている間において、所定の周期が経過する毎に繰り返し実行されている。
【０１１６】
最初のステップＳ３１では、開閉検知センサ８４からの信号に基づいて、雨戸８２が開いているかどうかの判定が行われる。雨戸８２が閉じていると判定された場合には、ステップＳ３２に移行する。
【０１１７】
ステップＳ３２では、確認部３３からルーター４０を経由してパソコン６０に信号が伝達され、これによりパソコン６０に確認メッセージが表示される。この場合の確認メッセージは、雨戸８２が閉じていることを居住者に報知するためのものである。これに加えて、温調運転を停止するかどうかについての居住者の意思を、居住者に確認するための操作部も、パソコン６０のディスプレイに表示される。このような文言及び操作部はダイアログボックスとして表示される。
【０１１８】
雨戸８２が閉じているということは、居住者が長期間に亘り外出し、建物ＨＳに人がいなくなってしまう可能性が高いということである。つまり、その後も温調運転が継続して行われると、不要な温調運転のためにエネルギーが無駄に消費されてしまう可能性が高いということである。そこで、ステップＳ３２では、居住者の意思をあらためて確認するための処理が行われる。
【０１１９】
例えば、上記ダイアログボックスには、居住者に対するメッセージとして「雨戸が閉じられました。温調運転を停止しますか？」という文言が表示されるとともに、操作部として「ＯＫボタン」の画像と「ＮＧボタン」の画像とが表示される。ＯＫボタンは、温調運転を停止してほしい場合に居住者が押す（クリックする）ボタンである。ＮＧボタンは、温調運転を停止してほしくない場合に居住者が押す（クリックする）ボタンである。
【０１２０】
ステップＳ３２に続くステップＳ３３では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ３４に移行する。
【０１２１】
ステップＳ３４では、ＯＫボタン又はＮＧボタンのどちらが押されたかが判定される。ＮＧボタンが押された場合、すなわち、「温調運転を停止せずに継続してほしい」という居住者の意思が確認された場合には、ステップＳ３５に移行する。
【０１２２】
ステップＳ３４においてＯＫボタンが押された場合、すなわち、「温調運転を停止してほしい」という居住者の意思が確認された場合には、ステップＳ４０に移行する。ステップＳ４０では、全館温調システムＡＣＳによる温調運転が直ちに停止される。
【０１２３】
ステップＳ３３において、居住者による操作部の操作が一定時間内に行われなかった場合には、ダイアログボックスの表示をディスプレイから消去するとともにステップＳ４０に移行する。つまり、ステップＳ３４においてＯＫボタンが押されていた場合と同じ処理が行われる。これにより、全館温調システムＡＣＳによる温調運転が直ちに停止される。
【０１２４】
ステップＳ３１において雨戸８２が開いていると判定された場合、又は、ステップＳ３４においてＮＧボタンが押されていた場合には、ステップＳ３５に移行する。ステップＳ３５では、動作検知センサ１１０からの信号に基づいて、全館温調システムＡＣＳとは別の温調機器（つまり床暖房装置１００）が停止しているか否かについての判定が行われる。床暖房装置１００が動作しており、これにより部屋Ｒ４の温度調整が既に行われていると判定された場合には、ステップＳ３６に移行する。
【０１２５】
ステップＳ３６では、確認部３３からルーター４０を経由してパソコン６０に信号が伝達され、これによりパソコン６０に確認メッセージが表示される。この場合の確認メッセージは、全館温調システムＡＣＳとは別の温調機器が動作中であることを居住者に報知するためのものである。これに加えて、全館温調システムＡＣＳによる温調運転を停止するかどうかについての居住者の意思を、居住者に確認するための操作部も、パソコン６０のディスプレイに表示される。このような文言及び操作部はダイアログボックスとして表示される。
【０１２６】
全館温調システムＡＣＳとは別の温調機器が動作中であるということは、部屋Ｒ４における温度調節が、全館温調システムＡＣＳと床暖房装置１００の両方によって行われており、エネルギーが無駄に消費されているということである。そこで、ステップＳ３６では、居住者の意思を再度確認するための処理が行われる。
【０１２７】
例えば、上記ダイアログボックスには、居住者に対するメッセージとして「床暖房装置による暖房が行われています。温調運転を停止しますか？」という文言が表示されるとともに、操作部として「ＯＫボタン」の画像と「ＮＧボタン」の画像とが表示される。ＯＫボタンは、温調運転を停止してほしい場合に居住者が押す（クリックする）ボタンである。ＮＧボタンは、温調運転を停止してほしくない場合に居住者が押す（クリックする）ボタンである。
【０１２８】
ステップＳ３６に続くステップＳ３７では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ３８に移行する。
【０１２９】
ステップＳ３８では、ＯＫボタン又はＮＧボタンのどちらが押されたかが判定される。ＮＧボタンが押された場合、すなわち、「温調運転を停止せずに継続してほしい」という居住者の意思が確認された場合には、ステップＳ３９に移行する。ステップＳ３９では、全館温調システムＡＣＳによる温調運転が継続される。
【０１３０】
ステップＳ３８においてＯＫボタンが押された場合、すなわち、「温調運転を停止してほしい」という居住者の意思が確認された場合には、ステップＳ４０に移行する。既に述べたように、ステップＳ４０では、全館温調システムＡＣＳによる温調運転が直ちに停止される。
【０１３１】
ステップＳ３７において、居住者による操作部の操作が一定時間内に行われなかった場合には、ダイアログボックスの表示をディスプレイから消去するとともにステップＳ４０に移行する。つまり、ステップＳ３８においてＯＫボタンが押されていた場合と同じ処理が行われる。これにより、全館温調システムＡＣＳによる温調運転が直ちに停止される。
【０１３２】
ステップＳ３５において、床暖房装置１００が停止していると判定された場合には、ステップＳ３９に移行する。既に述べたように、ステップＳ３９では、全館温調システムＡＣＳによる温調運転が継続される。
【０１３３】
以上のように、本実施形態では、雨戸８２が閉じられた場合や、全館温調システムＡＣＳとは別の温調機器が動作中である場合には、全館温調システムＡＣＳによる温調運転が停止される。これにより、建物ＨＳに人がいないときにおいて温調運転が行われてしまう等、不要な温調運転が行われてしまうことが防止される。
【０１３４】
尚、ステップＳ３１において雨戸８２が閉じられていた場合には、ステップＳ３２における確認メッセージの表示などが行われることなく、直ちにステップＳ４０の処理が行われる態様であってもよい。同様に、ステップＳ３５において他の温調機器が動作していた場合には、ステップＳ３６における確認メッセージの表示などが行われることなく、直ちにステップＳ４０の処理が行われる態様であってもよい。しかしながら、本実施形態のように、居住者の意思を確認する処理を経た後にステップＳ４０の処理が行われる態様であれば、居住者の意思に沿った処理が確実に行われることとなるので、より好ましい。
【０１３５】
建物ＨＳに設置されている温調機器が床暖房装置１００だけではなく、建物ＨＳに複数の温調機器が設置されていることも考えられる。この場合には、これら複数の温調機器に優先順位を設定しておき、優先順位の高いものが動作している場合にのみ、ステップＳ３６以降の処理が行われることとしてもよい。優先順位は、予め居住者がパソコン６０に対し行う操作によって設定されていることが望ましい。
【０１３６】
本実施形態では、雨戸８２が閉じられたことが開閉検知センサ８４により検知されたことを以って、居住者が外出するとの推定がなされる。このような態様に替えて、居住者の外出予定が居住者によって予め設定されるような態様であってもよい。具体的には居住者がパソコン６０を操作することにより、外出予定期間を入力するような態様であってもよい。この場合、現在の日時が外出予定期間となったときにステップＳ３２以降の処理が行われ、全館温調システムＡＣＳによる温調運転が停止されることとなる。
【０１３７】
本実施形態においては、外気に通じる窓８１の開閉状態に基づいて、図６のステップＳ２１における判定、及び図７のステップＳ２１０における判定が行われる。このような態様に替えて、又はこのような態様に加えて、各部屋（Ｒ１等）に設けられたドア９１の開閉状態に基づく判定が行われてもよい。
【０１３８】
このようなドア９１の構成例について、図９を参照しながら説明する。ドア９１は、居住者がドアノブ９２を把持して操作することによって開閉する構成の、所謂「片開き」のドアである。ドア９１が開放されると、部屋の内部空間が廊下に通じた状態となる。
【０１３９】
ドア９１のヒンジ部分には、開閉機構９４が設けられている。開閉機構９４は、不図示の電磁モーターの駆動力によって、ドア９１を自動的に開閉させる装置である。開閉機構９４の動作は、制御装置３０によって制御される。このため、制御装置３０は、開閉機構９４に制御信号を送信することで、ドア９１を開いたり閉じたりすることができる。
【０１４０】
また、ドア９１には開閉検知センサ９３が設けられている。開閉検知センサ９３は、ドア９１の開閉状態を検知するためのセンサである。開閉検知センサ９３による検知結果を示す信号は、制御装置３０に向けて送信される。このため、制御装置３０は、現時点においてドア９１が開かれた状態となっているのか、それとも閉じられた状態となっているのかを、開閉検知センサ９３からの信号によって判定することができる。
【０１４１】
図６のステップＳ２１では、開閉検知センサ９３からの信号に基づいて、ドア９１が閉じているかどうかの判定が行われることとしてもよい。ドア９１が開いている時には、ステップＳ２２以降の処理が行われる。同様に、図７のステップＳ２１０では、開閉検知センサ９３からの信号に基づいて、ドア９１が閉じているかどうかの判定が行われることとしてもよい。ドア９１が開いている場合には、制御装置３０が開閉機構９４を制御することにより、ドア９１が閉じられる。いずれの態様においても、これまでに説明したものと同様の効果を奏する。
【０１４２】
本実施形態に係る全館温調システムＡＣＳは、暖房運転及び冷房運転の両方を行うことが可能なシステムとして構成されている。このような態様に替えて、暖房運転又は冷房運転のいずれか一方のみを行うシステムとして構成されていてもよい。
【０１４３】
図１０（Ａ）には、空調による冷房運転のみが行われる場合における、全館温調システムＡＣＳの運転スケジュールの例が示されている。図３と図１０（Ａ）とを対比すると明らかなように、図１０（Ａ）の例では、夏期においてのみ温調運転（この場合は冷房運転）が行われ、その他の期間においては温調運転を停止した状態となっている。このため、設定日時ｔ１０における運転状態の切り替えや、設定日時ｔ４０における運転状態の切り替えは行われない。
【０１４４】
図１０（Ｂ）には、暖房運転のみが行われるように全館温調システムＡＣＳが構成されている場合における、全館温調システムＡＣＳの運転スケジュールの例が示されている。このような構成例としては、例えば、全ての部屋に床暖房装置が設けられており、それぞれの床暖房装置の動作が一括して制御装置３０により制御されるような構成が挙げられる。
【０１４５】
図１０（Ｂ）の例では、冬期においてのみ温調運転（この場合は暖房運転）が行われ、その他の期間においては温調運転を停止した状態となっている。このため、設定日時ｔ２０における運転状態の切り替えや、設定日時ｔ３０における運転状態の切り替えは行われない。
【０１４６】
このように、本発明を実施するにあたっては、全館温調システムＡＣＳによって行われる温度調節の具体的な態様は何ら限定されない。
【０１４７】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１４８】
ＡＣＳ：全館温調システム
３０：制御装置
３１：計測部
３２：記憶部
３３：確認部
３４：制御部
５０：ゲートウェイ
６０：パソコン
【図１】
0006462549.tif 000002
【図２】
0006462549.tif 000003
【図３】
0006462549.tif 000004
【図４】
0006462549.tif 000005
【図５】
0006462549.tif 000006
【図６】
0006462549.tif 000007
【図７】
0006462549.tif 000008
【図８】
0006462549.tif 000009
【図９】
0006462549.tif 000010
【図１０】
0006462549.tif 000011